(57)【要約】【課題】  ＯＡ化オフィス等のフリーアクセスフロアを形成する床パネルに関し、成形が容易で経済性及び均一的な耐荷重性に優れ、併せて取り扱いが容易で施工性にも優れた床パネルを提供することを課題とする。【解決手段】  床面を形成する矩形状の鋼板からなる上面板２と、上記上面板２の裏面部３に、この上面板の各辺の近傍に沿って囲む形状に配置されるとともにこの囲まれた内部に十文字状に配置してそれぞれ固定され、裏面部３を４つの矩形状の区画（１６ａ，１６ｂ，１６ｃ，１６ｄ）に分割する断面長方形状の鋼製のパイプ材４，６と、を有する構成である。【選択図】図１
2005090001.tif 000002
【特許請求の範囲】
【請求項１】
床面を形成する矩形状の鋼板からなる上面板と、
上記上面板の裏面部に、この上面板の各辺の近傍に沿って囲む形状に配置されるとともにこの囲まれた内部に十文字状に配置してそれぞれ固定され、裏面部を４つの矩形状の区画に分割する断面長方形状の鋼製のパイプ材と、を有することを特徴とする床パネル。
【請求項２】
上記裏面部の４つの各区画に、鋼板を連続する凹凸波状に屈曲成形した補強板をそれぞれ配置し、各補強板の上端部を上記裏面部に固定したことを特徴とする請求項１に記載の床パネル。
【請求項３】
上記裏面部の４つの各区画に、鋼板を左右にフランジ部を有する断面ハット状に屈曲成形した補強板をそれぞれ複数配置し、各補強板のフランジ部を上記裏面部に固定したことを特徴とする請求項１に記載の床パネル。
【請求項４】
上記裏面部の４つの区画の内、中心対称な関係にある２つの区画は上記補強板の溝の方向を一方向に揃えて配置固定し、他の２つの区画は上記一方向と直交する方向に上記補強板の溝の方向を揃えて配置固定したことを特徴とする請求項２又は請求項３に記載の床パネル。
【請求項５】
上記裏面部の４つの各区画に、鋼板に所定の間隔をおいて上方に椀状に窪んだ窪み部を設けた補強板をそれぞれ配置し、各補強板の窪み部の頂部を上記裏面部に固定したことを特徴とする請求項１に記載の床パネル。
【発明の詳細な説明】
【技術分野】
【０００１】
本発明は、ＯＡ化オフィス等のフリーアクセスフロアを形成する床パネルに関するものである。
【背景技術】
【０００２】
ＯＡ（オフィスオートメーション）機器を配置するオフィス等では、床下に機器の配線を行うため、基礎面に支持脚を立設して、この上に床パネルを配置したフリーアクセスフロア構造が採用されている。特許文献１の床パネル７１は、図８に示すように、薄鋼板からなる上部片７０と下部片７２、及びこれらの中間に介在させ薄鋼板を断面台形状の上向き及び下向きの溝が交互に並列するように連続成形したコア部材７４からなる。そしてこの床パネル７１は、これら上部片７０、コア部材７４及び下部片７２を重合し、これら重合部を接着剤により接着した構成である。この床パネル７１は、断面Ｌ字状の支持部材７６によって下部両側縁を支持し、この支持部材７６を床支柱７８で支える。
【０００３】
また、特許文献２には、フリーアクセスフロア用パネルの記載があり、薄い金属板により凹凸状の谷部と山部が連続する基板と、前記山部と谷部の前後に配される階段状の補強板と、前記基部の上面に配した鋼板からなる。
【特許文献１】特許第２５７６２２９号公報
【特許文献２】特許第３２８５５１７号公報
【発明の開示】
【発明が解決しようとする課題】
【０００４】
しかし、特許文献１の床材は、床パネル７１の補強のために、断面Ｌ字状の支持部材７６を用いているため、施工が複雑になって施工性に欠け、また床パネル７１自体が接着剤で接着した構造であるため、耐久性の問題がある。特許文献２のフロア用パネルについても、凹凸状の谷部と山部が連続する基板を補強するため、特別な補強板（階段状）を用いる必要があり、また敷設の際にもこの補強板を考慮して施工を行わなければならないという問題がある。
【０００５】
本発明は、上記問題点に鑑みてなされたものであり、成形が容易で経済性及び均一的な耐荷重性に優れ、併せて取り扱いが容易で施工性にも優れた床パネルを提供することを課題とする。
【課題を解決するための手段】
【０００６】
上記課題を解決するため、本発明に係る床パネルは図１に示すように、床面を形成する矩形状の鋼板からなる上面板２と、上記上面板２の裏面部３に、この上面板の各辺の近傍に沿って囲む形状に配置されるとともにこの囲まれた内部に十文字状に配置してそれぞれ固定され、裏面部３を４つの矩形状の区画（１６ａ，１６ｂ，１６ｃ，１６ｄ）に分割する断面長方形状の鋼製のパイプ材４，６と、を有する構成である。
【０００７】
本発明に係る床パネルは、上記裏面部３の４つの各区画１６に、鋼板を連続する凹凸波状に屈曲成形した補強板８をそれぞれ配置し、各補強板８の上端部を上記裏面部３に固定した構成である。
【０００８】
本発明に係る床パネルは、上記裏面部３の４つの各区画１６に、鋼板を左右にフランジ部２４を有する断面ハット状に屈曲成形した補強板２２をそれぞれ複数配置し、各補強板２２のフランジ部２４を上記裏面部３に固定した構成である。
【０００９】
本発明に係る床パネルは、上記裏面部３の４つの区画１６の内、中心対称な関係にある２つの区画（１６ａ，１６ｃ）は上記補強板８，２２の溝の方向を一方向に揃えて配置固定し、他の２つの区画（１６ｂ，１６ｄ）は上記一方向と直交する方向に上記補強板８，２２の溝の方向を揃えて配置固定した構成である。
【００１０】
本発明に係る床パネルは、上記裏面部３の４つの各区画１６に、鋼板に所定の間隔をおいて上方に椀状に窪んだ窪み部３２を設けた補強板３４をそれぞれ配置し、各補強板３４の窪み部３２の頂部３６を上記裏面部３に固定した構成である。
【発明の効果】
【００１１】
本発明に係る床パネルによれば、床パネルの裏面部に配置されたパイプ材及び補強板により優れた強度特性が得られ、また隣り合う区画における補強板の溝方向を変えたので、床パネルの均一的な耐荷重性が得られ撓み量が少なく、また鋼板の採用により成形が容易で経済性にも優れ、併せて取り扱いが容易で施工性にも優れるという効果がある。
【発明を実施するための最良の形態】
【００１２】
以下、本発明の実施の形態を図面に基づいて詳細に説明する。
図１（ａ）は、第一の実施の形態に係る床パネルの斜視図である。この床パネル１は正方形状の上面板２、この上面板２の裏面部３の各辺の近傍に沿って囲む形状に配置されたパイプ材６、上記上面板２の裏面部３に中心を通過する直交状に配置されたパイプ材４、上記上面板２の裏面部３に形成された４つの各区画に、それぞれ溝の方向を直交する方向に変えて配置され、断面が連続する凹凸波状の補強板８を有する。
【００１３】
この床パネル１の上面板２、パイプ材４，６及び補強板８は全て鋼材からなり、これらパイプ材４，６及び補強板８は、上面板２の補強材として用いられる。この床パネル１は、ＯＡオフィス等のように、通信ケーブル等が床下に配線可能なフリーアクセスフロアを構成する床材として用いられる。
【００１４】
上記上面板２は図２に示すように、正方形状の軽量鋼板の４辺部をそれぞれ下方に屈曲形成した屈曲板部１０を有し、四隅部の角部は屈曲板部１０が少し切除され、かつ角部には円形状に下方に窪んだ凹部１２が形成されている。この屈曲板部１０は、下記支持脚５２に嵌挿させて床パネル１を固定し、また床パネル１の強度を補強する。
【００１５】
また、上面板２の各辺部にはそれぞれ中央部に向けてへこんだ凹部１３，１４が形成されている。この内の一の凹部１３のみは上面板２の辺部の中央部に形成され、他の３つの凹部１４は辺部の中央部から少し偏った位置に形成されている。この凹部１３，１４は床パネル設置後、ＯＡ機器等の配線引き出し口として用いられ、また、床パネルの脱着の際に工具を挿入係止させる作業用孔として用いられる。
【００１６】
上記パイプ材４，６は、断面長方形状で長尺の角パイプ材を切断したものである。この角パイプ材は、軽量鋼板を長方形状に屈曲成形し、継ぎ目の箇所はそれぞれの端部を折返して接合したもの、或いは継ぎ目を溶接等により接合したものである。また、上記補強板８は図１（ｂ）に示すように、薄い軽量鋼板を屈曲成形したもので、断面が上向き及び下向きの台形状に交互に繰り返され、台形状の溝が連続する形状である。この下向き台形状溝の頂部は中央部が山形状に屈曲した形状に形成され、補強板８を補強する構造としている。そして、この補強板８の両端部には、下方に屈曲する屈曲部９が形成されている。
【００１７】
上記成形した上面板２の裏面部３に、上記パイプ材４，６及び補強板８を溶接により接合する。このパイプ材４，６の溶接は点付溶接により行い、また補強板８の溶接は電気抵抗熱によるスポット溶接とする。上記パイプ材６は、上面板２の裏面に、各辺に沿った少し内側の位置に配置する。またパイプ材４は、上記パイプ材６によって正方形状に囲まれた範囲の中心部を交差点とする十文字状に配置し、４つの正方形状の区画を形成する。このようにパイプ材４，６により、上面板２を補強する骨組みを形成する。
【００１８】
そして、パイプ材４，６の側面部と上面板２の下面部との間のコーナ部を点付溶接して両者を接合する。また、パイプ材４，６同士を交差させた部位は、交差するパイプ材６同士を点付溶接により接合する。この十字状に交差するパイプ材４により、床パネル１の中央部近傍の強度を補強し、また正方形状に囲んだパイプ材６により床パネル１の周辺部を補強する。このように、パイプ材４，６を田の字状に固定して、これにより床パネル１の裏面部３に、４つの正方形状の区画１６ａ，１６ｂ，１６ｃ，１６ｄを形成する。
【００１９】
上記４つの区画１６のうち、中心対称な区画（区画１６ａ，１６ｃ）に配置固定する補強板８は、その溝の方向を同一の一方向とする。そして、他の中心対称な区画（区画１６ｂ，１６ｄ）に配置する補強板８は、その溝の向きを上記一方向と直交する方向に向けて配置固定し、このように隣り合う区画における補強板８の溝の方向を変える。これら補強板８は、上面板２の裏面部３に上向き台形状部を当ててスポット溶接により固定する。また、パイプ材４，６に当接する補強板８は、その間に点付溶接等を行い両者を接合する。この補強板８は上面板２の板面の強度を補強し、また隣り合う区画１６における補強板８の溝の方向を直角向きに変えることで、床パネル１の強度を全体的にバランスのとれたものとして、強度に偏りがないようにする。
【００２０】
図３（ａ）（ｂ）は、上記床パネル１の特殊な形態として、パネル部の一部に孔部１５を設けた床パネル１１を示したものである。この床パネル１１の孔部１５は、ＯＡ機器の配線用として用いる。この孔部１５は、上記４つ内の一の区画１６ａに設け、この区画１６ａと隣接する区画１６ｄ寄りでかつ外側に近い位置に設ける。そして、その区画１６ａ内の凹凸波状の補強板８は孔部１５に該当する部分を削除し、この補強板８の端部側にパイプ材７を配置し点付溶接する。
【００２１】
また、上記補強板８を削除した部分は、新たに凹凸波状の補強板１７を上記補強板８とは直交する向きに変えて配置し、その端部にパイプ材７を配置して、それぞれ上記と同様に溶着固定する。これらパイプ材７で囲まれた区画に、上記孔部１５を設ける。この孔部１５は、上面板２の該当部位を円形状に穿孔して、その周囲を少し下方に窪ませ、ここに円環部材１９を嵌め込み、これを溶接により固定する。この円環部材１９は、円筒片の上部に外向きに屈曲した円環状のフランジ部１８が形成された形状であり、孔部１５の補強のために用いる。四隅を支持脚で支持して配置され、ＯＡオフィス等の二重床を形成する床パネルである。本物品の一部に形成される円孔は、ＯＡ機器の配線用の孔として用いられる。四隅を支持脚で支持して配置され、ＯＡオフィス等の二重床を形成する床パネルである。本物品の一部に形成される円孔は、ＯＡ機器の配線用の孔として用いられる。
【００２２】
上記床パネル１は、ＯＡオフィス等のフリーアクセスフロアに用いられ、その四隅を床の基礎面５０に立設した支持脚５２で支持固定する。この支持脚５２は、図４に示すように矩形状の座板５３、この中央部に立設にされた棒状の支持体５６、及びこの支持体５６の上部に固定された受け部５８からなる。
【００２３】
この座板５３は、中央に十文字状に膨出形成されたボス部５４が設けられ、座板５３の中央部に支持体５６の下部が螺着等により固定されている。受け部５８は、支持体５６の上部に螺着され高さ調節可能である。この受け部５８は、支持部６０が十字放射状に形成され、各支持部６０の中央にはスリット状に切り込まれた溝部６２が設けられている。また、受け部５８の中央上部には円形状の窪み部６４が形成され、この中央にはネジ６６の螺孔が設けられている。
【００２４】
床の敷設に際しては図５に示すように、基礎面５０の所定の位置に支持脚５２を配置し、止着ピン等をピン孔５５に止着して座板５３を固定し、併せて受け部５８の高さを調節する。そして、床パネル１の四隅を、それぞれ各支持脚５２の受け部５８に取り付ける。この床パネル１には、上面板２の隅部に屈曲板部１０が直交状に形成されており、各屈曲板部１０をそれぞれ受け部５８に直交状に形成された溝部６２に差し込んで載置固定する。
【００２５】
一の支持脚５２には、最大で４つの床パネル１が載置され、各床パネル１が交差する受け部５８の中央部にネジ６６を用いて固定する。床パネル１は、上面板２の凹部１３を床パネル１の向きの目安にして、順次支持脚５２に載置して固定する。この際、隣接する床パネル１の凹部１３同士を向かい合せに配置することで、ＯＡ機器等の配線引き出し口を大きく確保できる。このようにして、床パネル１を順に敷設し、このとき必要に応じて上記孔部１５が設けられた床パネル１１を用いることで、床下の配線から床上のＯＡ機器の配線への連絡孔を形成する。
【００２６】
従って、上記実施の形態によれば、鋼材として鋼板を用いたことにより経済的で、軽量な、かつ均一的な耐荷重性を有し撓みの少ない床パネルが得られ、取り扱いが簡単で施工性にも優れ搬送も容易であり、特に軽量鋼板は成形製造が容易で経済性に優れる。また、床パネルの裏面部３に形成されたパイプ材及び補強板により優れた強度特性が得られ、また隣り合う区画における補強板の溝の方向を変えたので、床パネルの強度に偏りがない。
【００２７】
尚、他の形態の区画を有する床パネルとして、上面板２の裏面部３に対角状にパイプ材を配置して、４つの三角形の区画に分割する形態がある。この床パネルでは、隣り合う区画における凹凸波状の補強板の溝の方向を直角向きの構造（例えば、補強板の溝の方向を各区画に属する上面板２の辺と平行に配置）とすることが可能であり、この場合には、三角形状に切断した補強板を４つの各区画に配置固定する。この形態の床パネルにおいても、上記と同様に軽量化が図られ施工性にも優れる。
【００２８】
図６は、第二の実施の形態に係る床パネル２０を示したものである。この床パネル２０は、上記床パネル１に用いた凹凸波状の補強板８に代えて、断面ハット状の補強板２２を複数用いたものである。なお、上記実施の形態と同様な構造については同一の符号を付してここでの説明は省略する。
【００２９】
この補強板２２は、薄い軽量鋼板を屈曲成形して断面が台形状でその両側にフランジ部２４が形成された溝状の長尺部材である。この補強板２２についても、上記４つの区画１６のうち、中心対称な区画（区画１６ａ，１６ｃ）に配置する補強板２２は、それぞれ溝の方向を同一とする。そして、他の中心対称な区画（区画１６ｂ，１６ｄ）に配置する補強板２２は、上記溝の方向と直交する方向に溝を向けて補強板２２を配置する。
【００３０】
このように、隣り合う区画１６における補強板２２の溝の方向を直角向きに変えることで、床パネル２０の強度を全体的に一様にして、強度に偏りがないようにする。補強板２２は、この床パネル２０では各区画１６毎にそれぞれ３本用いる。補強板２２は、各フランジ部２４を上面板２の裏面部３にスポット溶接により固定する。また、パイプ材４，６と当接する補強板２２の端部を、点付溶接等により接合する。
【００３１】
この床パネル２０は、第一の実施の形態と同様にＯＡオフィス等のフリーアクセスフロアに用いられる。また、この第二の実施の形態においても、第一の実施の形態と同様、軽量の床パネルが経済的に得られ、施工性にも優れて搬送も容易であり、また補強材により均一的な耐荷重性の優れた強度特性が得られ、軽量鋼材の使用により成形製造が容易で経済性にも優れる。
【００３２】
図７は、第三の実施の形態に係る床パネル３０を示したものである。この床パネル３０は、上記床パネル１に用いた凹凸波状の補強板８に代えて、窪み状の補強板３４を用いたものである。なお、上記実施の形態と同様な構造については同一の符号を付してここでの説明は省略する。この床パネル３０は、正方形状の上面板２、この上面板２の裏面部３の周囲近傍に配置されたパイプ材６、同裏面部３に十字状に配置されたパイプ材４、上面板２の裏面部３に形成され、窪み部３２が複数設けられた補強板３４を有する。この補強板３４は、上記上面板２の補強材として用いる。
【００３３】
上記補強板３４は、薄い軽量鋼板に断面が球面状（或いは椀状）の窪み部３２を所定の間隔をおいて複数形成したもので、全体が正方形状の部材である。この上方に向けて窪んだ窪み部３２は、プレス加工等により形成され、この窪み部３２の上端部には平坦な円形状の頂部３６が設けられている。また、補強板３４の表面部にはメッキの際のメッキ液の排出のための複数の孔部３８が形成されている。この補強板３４の周囲は、各４辺の端部が上方に屈曲形成されて上面板２に当接する平坦なフランジ部４０が形成され、これからさらに下方に向けて折曲部４２が形成されている。
【００３４】
そして、パイプ材４，６により４つの正方形状の区画１６ａ，１６ｂ，１６ｃ，１６ｄに分割された上面板２の裏面部３に、上記補強板３４を接合する。このとき上記上面板２の各区画１６にそれぞれ補強板３４を配置し、上面板２の裏面部３に補強板３４の頂部３６を当接させてこの当接部位をスポット溶接により接合し、併せて上記フランジ部４０もスポット溶接により接合する。
【００３５】
この床パネル３０は、第一の実施の形態と同様にＯＡオフィス等のフリーアクセスフロアに用いられる。また、この第三の実施の形態においても、第一の実施の形態と同様、軽量の床パネルが経済的に得られ、施工性にも優れて搬送も容易であり、また補強材により均一的な耐荷重性の優れた強度特性が得られ、軽量鋼材の使用により成形製造が容易で、経済性にも優れる。
【図面の簡単な説明】
【００３６】
【図１】本発明の第一の実施の形態に係る床パネルにつき、（ａ）は下方斜視図を、（ｂ）はＡ−Ａ断面図を示す。
【図２】第一の実施の形態に係る床パネルの上方斜視図を示す。
【図３】第一の実施の形態に係る床パネルの特殊な形態につき、（ａ）は下方斜視図を、（ｂ）はＢ−Ｂ断面図を示す。
【図４】第一の実施の形態に係る支持脚の斜視図を示す。
【図５】第一の実施の形態に係る床パネルの敷設構造の斜視図を示す。
【図６】本発明の第二の実施の形態に係る床パネルにつき、（ａ）は下方斜視図を、（ｂ）はＣ−Ｃ断面図を示す。
【図７】本発明の第三の実施の形態に係る床パネルにつき、（ａ）は下方斜視図を、（ｂ）はＤ−Ｄ断面図を示す。
【図８】従来例に係る床パネルの分解斜視図を示す。
【符号の説明】
【００３７】
１，１１，２０，３０  床パネル
２  上面板
４，６，７  パイプ材
８，１７，２２，３４  補強板
１５  孔部
２４  フランジ部
３２  窪み部
３６  頂部
【図１】
2005090001.tif 000003
【図２】
2005090001.tif 000004
【図３】
2005090001.tif 000005
【図４】
2005090001.tif 000006
【図５】
2005090001.tif 000007
【図６】
2005090001.tif 000008
【図７】
2005090001.tif 000009
【図８】
2005090001.tif 000010